【事件の表示】
　平成１１年特許願第２５０２９２号「遊技機」拒絶査定不服審判事件〔平成１３年　３月２１日出願公開、特開２００１−　７０５８１〕について、次のとおり審決する。
【結　論】
　本件審判の請求は、成り立たない。
【理　由】
第１．手続の経緯等
　本願は、平成１１年９月３日の出願であって、平成１９年７月４日付けで拒絶理由が通知され、これに対し平成１９年８月３１日付けで手続補正がされ、平成１９年１０月２３日付けで拒絶査定がされ、これに対し平成１９年１１月２９日付けで拒絶査定不服審判が請求されるとともに、平成１９年１２月２０日付けで手続補正がされたものである。
　　
第２．平成１９年１２月２０日付けの手続補正についての補正却下の決定
　
［補正却下の決定の結論］
　平成１９年１２月２０日付けの手続補正（以下、「本件補正」という。）を却下する。
　
［理由］
１．補正後の本願発明
　本件補正により、特許請求の範囲は、
　「【請求項１】
　遊技を統括的に制御する主制御装置と、
　前記主制御装置からの指令信号に基づいて各種被制御装置の動作をそれぞれ制御する複数の従属制御装置と、
　前記主制御装置から前記複数の従属制御装置へ指令信号を送信するために接続される複数の接続手段と、
　を備えた遊技機において、
　前記複数の従属制御装置は、少なくとも表示装置の表示を制御する表示制御装置と、装飾発光源の発光動作を制御する装飾制御装置と、であり、
　前記各接続手段は、同一信号線数のケーブルと、該ケーブル端部の共通形状のコネクタと、から構成され、
　前記主制御装置を起点として前記各従属制御装置が連鎖状に連なるように各従属制御装置間に接続されることによって、前記主制御装置から連鎖上流に位置する従属制御装置を介して連鎖下流に位置する従属制御装置にも同一の前記指令信号が送信されるよう構成し、
　前記主制御装置は、前記表示制御装置に前記表示装置の表示内容を指令するための表示指令信号であり、かつ前記装飾制御装置に前記装飾発光源の発光動作を指令するための装飾指令信号である共通指令信号を前記各従属制御装置に送信し、
　前記各従属制御装置は、同一の共通指令信号に対応する制御内容がそれぞれ異なるように予め設定されており、前記主制御装置から受信した前記共通指令信号に基づいて当該従属制御装置が行う制御内容を特定し、制御対象となる前記各種被制御装置の動作を制御することを特徴とする遊技機。
　　【請求項２】
　前記各従属制御装置は、前記共通指令信号を構成する数値によって当該従属制御装置が
行う制御内容を特定することを特徴とする請求項１に記載の遊技機。」と補正された。
　
　上記補正は、補正前の「各種装置」を「各種被制御装置」と、また「各従属制御装置」との記載を「少なくとも表示装置の表示を制御する表示制御装置と、装飾発光源の発光動作を制御する装飾制御装置」、さらに「共通指令信号」を「前記表示制御装置に前記表示装置の表示内容を指令するための表示指令信号であり、かつ前記装飾制御装置に前記装飾発光源の発光動作を指令するための装飾指令信号」とそれぞれ限定し、従属制御装置の制御について、「同一の共通指令信号に対応する制御内容がそれぞれ異なるように予め設定」と限定し、共通指令信号を数値によって構成するものに限定するものであり、平成１８年法律第５５号改正附則第３条第１項によりなお従前の例によるとされる同法による改正前の特許法１７条の２第４項２号の特許請求の範囲の減縮を目的とするものに該当する。
　そこで、本願補正発明が特許出願の際独立して特許を受けることができるものであるか（上記改正前の特許法１７条の２第５項において準用する同法１２６条５項の規定に適合するか）について以下に検討する。
　
２．先願について
  
（１）先願について
　原査定の拒絶の理由に引用された、特願平１１−２１２８０５号（特開２００１−３８０２１号公報）（以下、「先願」という。）には、以下の事項が図面とともに記載されている。
　
・記載事項１
　「主制御部と、その主制御部からの指令信号を受けることにより対応する処理動作を行う複数の周辺制御部とを備えた遊技機の制御方式であって、
前記周辺制御部の全て又は２以上の一部のものが、前記主制御部からの共通信号伝送経路に接続されるとともに、その共通信号伝送経路により前記指令信号が、作動指令対象となる周辺制御部を特定可能な状態にて送信されるようになっており、
前記周辺制御部は自らを作動指令対象とする指令信号を受けた場合にのみ、その指令信号の指令内容に基づいた処理を行うことを特徴とする遊技機の制御方式。」（【請求項１】）　
　
・記載事項２
　「機構盤１０２の左下方部には、上述した発射装置ユニット８が、同じく右下方部には、補給球詰まり、下皿部満タン、主電源電圧異常、発射停止、主制御基板通信異常、賞球モータ異常などを７セグメントＬＥＤで表示する枠状態表示器１１７を備えた枠制御基板ケース１１８が設けられている。ここに、枠制御部１５０（図１６参照：第一周辺制御基部）が形成される枠制御基板３５０（第一周辺制御基板）が格納される。また、特別図柄表示装置１６の液晶表示盤２９の作動制御を行う、特別図柄制御部１６０（図１６参照：第二周辺制御部）が形成される特別図柄制御基板３６０（第二周辺制御基板）、各種ランプ類の制御を統括して行う、ランプ制御部１７０（図１６参照：第三周辺制御部）が形成されるランプ制御基板３７０（第三周辺制御基板）、スピーカ４００からの音声出力制御を司る音声制御部１８０（図１６参照：第四周辺制御部）が形成されるランプ音声基板３８０（第三周辺制御基板）もそれぞれ取り付けられている。」（段落【００６９】）
　
・記載事項３
　「次に、本実施例のパチンコ機１の電子制御装置１３０について、図１６を参照して説明する。まず、電子制御装置１３０は、主制御部１４０と、共通信号伝送経路である共有バス５００により、その主制御部１４０に直列的に接続された枠制御部１５０、特別図柄制御部１６０、ランプ制御部１７０及び音声制御部１８０とを含んで構成されている。主制御部以外の４つの制御部１５０，１６０，１７０，１８０は前述の通り、第一〜第四の周辺制御部をなすものである。」（段落【００７８】）
　
・記載事項４
　「主制御部１４０は、ＣＰＵ１４１と、ＲＡＭ１４２と、ＲＯＭ１４３と、入出力ポート１４４とをバス１４５により相互に接続したものである。そして、ＣＰＵ１４１はＲＯＭ１４３に格納された制御プログラムにより、ＲＡＭ１４２をワークエリアとしてパチンコ機１全体の作動制御（すなわち、遊技の基本進行制御）を司る。また、ＲＯＭ１４３に記憶された当否判定プログラムにより、ＣＰＵ１４１が主体となって第１種始動口の入賞検知スイッチ１７ｓからの信号に基づき当否判断制御を行う。また、入出力ポート１４４には前記した共有バス５００が接続され、後述する通り入出力ポート１４４からその共有バス５００へ、各周辺制御部１５０，１６０，１７０，１８０へ処理内容を指示する指令信号たるコマンドデータを送信する。なお、主制御部１４０から各周辺制御部１５０，１６０，１７０，１８０へは、一方向形式でデータが伝送される。また、該主制御部１４０には、電源ターミナル基板１２１が接続されている。なお、主制御部１４０は、それ自体が遊技者の賞球獲得上の利害に関与する第一種作動部となっていることは明らかである。」（段落【００７９】）
　
・記載事項５
　「以下、共有バス５００を介した、主制御部１４０から、各周辺制御部１５０，１６０，１７０，１８０への指令信号の送信形態について、遊技機１の作動の流れと関連付けて詳しく説明する。例えば、遊技機１の電源が入っている状態で発射ハンドル９に遊技者が触れていないときは、音声の出力はなく、図１の遊技効果ランプ６０１，６０４と遊技効果ランプ６０２，６０３とが交互に点灯、消灯を繰返している（この点灯パターンを点灯パターン１という）。この時はモード２なる指令信号が主制御部１４０からランプ制御部１７０（第三周辺制御部）に送信される。
」（段落【０１１７】）
　
・記載事項６
　「なお、主制御部１４０から複数の周辺制御部１５０，１６０，１７０，１８０へのコマンドデータ（指令信号）は、主制御基板３４０上に設けられるとともに共有バス（共通信号伝送経路）５００の基端部を形成する単一のコネクタ３４１から出力される。他方、周辺制御基板３５０，３６０，３７０，３８０上には、主制御部３４０又は共有バス５００上にて自身よりも上流側に配置される他の周辺制御部からの指令信号を受け入れる入力側コネクタ３４２と、その入力側コネクタ３４２で受け入れたコマンドデータを、自身よりも下流側の他の周辺制御部へ中継出力する出力側コネクタ３４３とが設けられている。そして、それらコネクタ３４２，３４３を介して周辺制御部１５０，１６０，１７０，１８０が共有バス５００に接続されている。これによれば、いわゆるデイジーチェーン接続と類似の原理により、主制御部１４０に対する共有バス（共通信号伝送経路）５００を介した周辺制御部の接続を簡略に実現することが可能となる。そして、周辺制御部の個数の多寡に関わらず、主制御基板には少なくとも１個のコネクタ３４１を、周辺制御基板には少なくとも２個のコネクタ３４２，３４３を配置することにより、コマンドデータを主制御部１４０からすべての周辺制御部１５０，１６０，１７０，１８０へ同一バスにより送信することができ、例えばバス指定のための煩瑣な処理が不要になるとともに、周辺制御部（基板）数の増減を伴う遊技機の設計変更にも極めて簡単に対応できる。」（段落【０１２０】）
　
・記載事項７
　「なお、図２９（ｂ）に示す例では、各コネクタ３４１，３４２，３４３は、バスケーブル５００ｅ側の第一コネクタ要素（例えばピンプラグ）３４１ａ，３４２ａ，３４３ａと、これらにそれぞれ係合する基板側の第二コネクタ要素（例えばピンソケット）３４１ｂ，３４２ｂ，３４３ｂとからなり、第一コネクタ要素を両端に形成したバスケーブル５００ｅにより、各第二コネクタ要素を接続するようにしている。他方、図２９（ｃ）に示す例では、基板片側のコネクタ３４２を基板と分離不能なターミナル３４２ｃにより、バスケーブル５００ｅを基板と一体化して基板ユニットとした例を示している。また、図２９（ｅ）では、複数の第一コネクタ要素３４１ｃ，３４２ｃ，３４３ｃを備えたバスケーブル５００ｆにより、基板側の第二コネクタ要素３４１ｅ，３４２ｅ，３４３ｅを接続する例を示している。」（段落【０１２１】）
　
・記載事項８
　「ここで、周辺制御部１５０，１６０，１７０，１８０毎に、指令すべき動作内容（あるいは処理内容）は異なるわけであるから、指令信号も各周辺制御部に対し、互いに異なる指令信号を個別に送信しなければならない。そして、それら複数の指令信号が共有バス（共通信号伝送経路）５００を介して送信できるよう、指令信号の内容には以下のような工夫がなされている。すなわち、図３０は、指令信号を８ビットのコマンドデータ信号にてパラレル送信する場合の例を示している（なお、本実施例ではデータ信号に関し、閾電圧との大小によりＨ（High）及びＬ（Low）の信号レベルを設定したときに、Ｌレベルをアクティブ（「１」）、Ｈレベルをノンアクティブ（「０」）として定めている）。この８ビットのデータの特定の２ビット、ここでは上位の２ビットが、周辺制御部を特定するための周辺制御部特定情報として機能している。この例では、「００ｂ」がランプ制御部１７０、「０１ｂ」が枠制御部１５０、「１０ｂ」が音声制御部１８０、「１１ｂ」が特別図柄制御部１６０を特定するものとして定められている。」（段落【０１２２】）
　
・記載事項９
　「また、図３３（ａ）に示すように、コマンドデータを所定ビット数のパルス列にて構成することで、シリアル方式のコマンドデータ送信を行うことができる（つまり、１ビット幅のシリアル）。この場合、各制御部のコマンドデータの入出力ポートとしてシリアルポートが使用され、共有バス５００もシリアルバスを使用する。この方式は、共有バスを構成する信号線の数を大幅に減少することができるほか、データビット長の設計変更にも極めて容易に対応できる利点がある。この場合、コマンドデータとしては、図３３（ｂ）に示すように、開始識別部をデータの先頭に付与することにより、データパルス列の先頭を識別できるようにしておく。そして、データの本体は、周辺制御部特定部（例えば、前記したパラレル方式と同じ２ビット）と、コマンド部（前記したパラレル方式と同じ６ビットでもよいが、さらに多くしてもよい）とを含むものとしておく。なお、データパルス列の終わりは終了識別部により識別させることができるが、データ長を一定とすることで終了識別部は省略できる。（段落【０１３１】）
　
・記載事項１０
　「なお、図３３の実施例では、周辺制御部特定部は単一の周辺制御部のみを指定するものとしていたが、図３４に示すように、複数の周辺制御部を指定できるようにしてもよい。この場合、指定された複数の周辺制御部にて同じコマンド（以下、共通コマンドという）がそれぞれ取り込まれるが、同一であるのはコマンドの記述内容だけであり、対応する処理は周辺制御部毎に異なる。このようにすることで、共通コマンドにて指定されるそれら複数の周辺制御部の処理を互いに連動させること（例えば同期させること）が可能となる。例えば、図３４では、ランプ制御部と音声制御部とで、共通コマンドに対して点灯パターン内容と音声パターン内容とが互いに対応付けられた形で設定されており、例えば周辺制御部特定部によりランプ制御部と音声制御部とを指定して、ある共通コマンドを送信すると、これがランプ制御部と音声制御部とに取り込まれ、対応する点灯パターンと音声パターンとを同期的に実行させることが可能となる。」（段落【０１３２】）
　
　
　以上を含む全記載及び図示によれば、先願には次の発明が記載されていると認められる。
「　遊技の基本進行制御を司る主制御部１４０と、
　前記主制御部１４０からの指令信号を受けることにより対応する処理動作を行う複数の周辺制御部１５０，１６０，１７０，１８０と、
　前記主制御部１４０からの指令信号を前記複数の周辺制御部１５０，１６０，１７０，１８０へ同一バスにより送信することができるように、第一コネクタ要素３４１ａ，３４２ａ，３４３ａを両端に形成したバスケーブル５００ｅにより各第二コネクタ要素３４１ｂ，３４２ｂ，３４３ｂを接続するようにしているパチンコ機１において、
　前記複数の周辺制御部１５０，１６０，１７０，１８０は、液晶表示盤２９の作動制御を行う特別図柄制御部１６０と、各種ランプ類の制御を統括して行うランプ制御部１７０を含み、
　前記指令信号は、主制御基板３４０上に設けられ共有バス５００の基端部を形成する単一のコネクタ３４１から出力され、周辺制御基板３５０，３６０，３７０，３８０上には、前記主制御部１４０又はバス上にて自身よりも上流側に配置される他の周辺制御部からの指令信号を受け入れる入力側コネクタ３４２と、その入力側コネクタ３４２で受け入れたコマンドデータを、自身よりも下流側の他の周辺制御部へ中継出力する出力側コネクタ３４３とが設けられ、それらコネクタ３４２，３４３を介して周辺制御部１５０，１６０，１７０，１８０が共有バス５００に接続されることによって、主制御部１４０に対する共有バス５００を介した周辺制御部の接続を簡略に実現することが可能となり、
　前記主制御部１４０から前記複数の周辺制御部１５０，１６０，１７０，１８０への前記指令信号としては、開始識別部と、周辺制御部特定部と、コマンド部とを含むものとし、前記周辺制御部特定部は複数の周辺制御部を指定できるようにして、指定された複数の周辺制御部にて共通コマンドがそれぞれ取り込まれるが、同一であるのはコマンドの記述内容だけであり、対応する処理は周辺制御部毎に異なるパチンコ機１。」（以下、「先願発明」という。）
　
３．対比
　本件補正により補正された特許請求の範囲請求項１に係る発明（以下、「本願補正発明」という。）と先願発明を対比すると、
　先願発明の「遊技の基本進行制御を司る主制御部１４０」及び「主制御基板３４０」は、本願補正発明の「遊技を統括的に制御する主制御装置」に相当し、以下同様に、
「処理動作」は「各種被制御装置の動作」に、「周辺制御部１５０，１６０，１７０，１８０」及び「周辺制御基板３５０，３６０，３７０，３８０」は「従属制御装置」に、「第一コネクタ要素３４１ａ，３４２ａ，３４３ａ」は「コネクタ」に、「両端」は「ケーブル端部」に、「バスケーブル５００ｅ」は「接続手段」に、「パチンコ機１」は「遊技機」に、「液晶表示盤２９の作動制御を行う特別図柄制御部１６０」は「表示装置の表示を制御する表示制御装置」に、「各種ランプ類の制御を統括して行うランプ制御部１７０」は「装飾発光源の発光動作を制御する装飾制御装置」に、「自身よりも上流側に配置される他の周辺制御部」は「連鎖上流に位置する従属制御装置」に、「自身よりも下流側の他の周辺制御部」は「連鎖下流に位置する従属制御装置」に、「共通コマンド」は「共通指令信号」に、「対応する処理」は「対応する制御内容」に、それぞれ相当する。
　
　さらに、先願発明について、先願明細書の記載等から以下の（１）〜（７）のことが言える。
（１）先願発明において、「複数の周辺制御部１５０，１６０，１７０，１８０」が行う処理動作は、段落【００６９】等の記載から、それぞれ枠状態表示器１１７、液晶表示盤２９、各種ランプ類、スピーカ４００（本願補正発明の「各種被制御装置」に相当）の動作を制御することにほかならないから、先願発明の「前記主制御部１４０からの指令信号を受けることにより対応する処理動作を行う複数の周辺制御部１５０，１６０，１７０，１８０」は、本願補正発明の「前記主制御装置からの指令信号に基づいて各種被制御装置の動作をそれぞれ制御する複数の従属制御装置」に相当するものといえる。
　
（２）先願発明の「バスケーブル５００ｅ」は、前記主制御部１４０からの指令信号を前記複数の周辺制御部１５０，１６０，１７０，１８０へ同一バスにより送信することができるように、各第二コネクタ要素３４１ｂ，３４２ｂ，３４３ｂを接続するものであるから、前記主制御部１４０から前記複数の周辺制御部１５０，１６０，１７０，１８０へ指令信号を送信するために接続されるものであり、図２９（ｂ）の記載等からみて複数あることは明らかである。
　
（３）先願発明の「複数の周辺制御部１５０，１６０，１７０，１８０」は、「液晶表示盤２９の作動制御を行う特別図柄制御部１６０と、各種ランプ類の制御を統括して行うランプ制御部１７０」を含んでいるから、本願補正発明の「少なくとも表示装置の表示を制御する表示制御装置と、装飾発光源の発光動作を制御する装飾制御装置と、であり、」に相当する構成を備えるものということができる。
　
（４）先願発明の複数ある「バスケーブル５００ｅ」のケーブル部は、主制御部１４０から出力された指令信号を上流側の周辺制御部から下流側の周辺制御部へと中継していくことからみて、同一信号線数となっていることが明らかであり、すべてのケーブル部が同一信号線数であって同様の接続を複数箇所で行うことを考えると、「バスケーブル５００ｅ」の両端に形成されている「第一コネクタ要素３４１ａ，３４２ａ，３４３ａ」は共通形状とするのが最も普通の態様である。
　したがって、先願発明は、本願補正発明の「前記各接続手段は、同一信号線数のケーブルと、該ケーブル端部の共通形状のコネクタと、から構成」に相当する構成を具備するものといえる。
　
（５）先願発明の「指令信号」は、主制御基板３４０上に設けられ共有バス５００の基端部を形成する単一のコネクタ３４１から出力されていることから、主制御基板３４０を起点として送信されているものということができ、先願発明の「周辺制御基板３５０，３６０，３７０，３８０」が連鎖状に連なるように接続されていることも、図２９（ａ）の記載等からみて明らかである。
　また、先願発明の「周辺制御基板」は、その入力側コネクタ３４２で受け入れた指令信号を、自身よりも下流側の他の周辺制御部へ中継出力しているから、すべての「周辺制御基板」に同一の指令信号が送信されるものと認められる。
　したがって、先願発明は、本願補正発明の「前記主制御装置を起点として前記各従属制御装置が連鎖状に連なるように各従属制御装置間に接続されることによって、前記主制御装置から連鎖上流に位置する従属制御装置を介して連鎖下流に位置する従属制御装置にも同一の前記指令信号が送信されるよう構成」に相当する構成を具備するものといえる。
　
（６）先願発明において主制御部１４０は複数の周辺制御部（段落【０１３２】における例示はランプ制御部と音声制御部）を指定できる１つの共通コマンドを送信している。そして、記載事項６からみて、特別図柄制御部１６０とランプ制御部１７０についても組み合わせて制御を行うことが考慮されており、両者を１つの共通コマンドで制御可能であることが開示されていると解することができるので、先願発明は本願補正発明における「主制御装置は、前記表示制御装置に前記表示装置の表示内容を指令するための表示指令信号であり、かつ前記装飾制御装置に前記装飾発光源の発光動作を指令するための装飾指令信号である共通指令信号を前記各従属制御装置に送信」と同様の機能を有していると認められる。
　
（７）先願発明における「指定された複数の周辺制御部にて共通コマンドがそれぞれ取り込まれるが、同一であるのはコマンドの記述内容だけであり、対応する処理は周辺制御部毎に異なる」という構成からみて、先願発明の各周辺制御部は、共通コマンドに対応する制御内容がそれぞれ異なるように予め設定されているものということができる。さらに、上記（１）に記載したように、各周辺制御部が枠状態表示器１１７、液晶表示盤２９、各種ランプ類、スピーカ４００（本願補正発明の「各種被制御装置」に相当）の動作を制御するものであることを考え合わせると、先願発明の各周辺制御部は、共通コマンドに基づいて当該周辺制御部が行う制御内容を特定し、枠状態表示器１１７、液晶表示盤２９、各種ランプ類、スピーカ４００の動作を制御するものといえる。
　したがって、先願発明は、本願補正発明の「同一の共通指令信号に対応する制御内容がそれぞれ異なるように予め設定されており、前記主制御装置から受信した前記共通指令信号に基づいて当該従属制御装置が行う制御内容を特定し、制御対象となる前記各種被制御装置の動作を制御する」と同様の機能を有していると認められる。
　
　
　なお、出願人は本願補正発明の共通指令信号は従属制御装置のアドレスを含まない点を主張しているが、上記（７）のように単に「共通指令信号」という文言だけでは、そのような主張の根拠となるものではなく、先願発明の共通コマンドがアドレスを含むとしても信号としては各種周辺制御部に共通であるので、先願発明の「共通コマンド」と本願補正発明の「共通指令信号」に差異があるとは認められない。
　
　以上を総合すると、先願には実質的に本願補正発明と同一のものが記載されていると言える。
　よって、本願補正発明は、先願発明と同一であり、特許法第２９条の２の規定により特許出願の際独立して特許を受けることができないものである。
　
４．むすび
　以上のとおり、本件補正は、上記改正前の特許法１７条の２第５項で準用する同法１２６条第５項の規定に違反するものであり、同法１５９条第１項で準用する同法５３条第１項の規定により却下されるべきものである。
　
第３．本願発明について
１．本願発明の認定
　平成１９年１２月２０日付けの手続補正は上記のとおり却下されたので、本願の請求項１に係る発明（以下、「本願発明」という。）は、平成１９年８月３１日付けの手続補正書の特許請求の範囲の請求項１に記載された事項により特定される、以下のとおりのものである。
　「遊技を統括的に制御する主制御装置と、
　前記主制御装置からの指令信号に基づいて各種装置の動作をそれぞれ制御する複数の従属制御装置と、
　前記主制御装置から前記複数の従属制御装置へ指令信号を送信するために接続される複数の接続手段と、
　を備えた遊技機において、
　前記各接続手段は、同一信号線数のケーブルと、該ケーブル端部の共通形状のコネクタと、から構成され、
　前記主制御装置を起点として前記各従属制御装置が連鎖状に連なるように各制御装置間に接続されることによって、前記主制御装置から連鎖上流に位置する従属制御装置を介して連鎖下流に位置する従属制御装置にも同一の前記指令信号が送信され、
　前記主制御装置は、前記各従属制御装置の各々を区別することのなく共通に用いられる共通指令信号を送信し、
　前記各従属制御装置は、前記主制御装置から受信した共通指令信号に基づいて当該従属制御装置が行う制御内容を判定し、制御対象となる前記各種装置の動作を制御することを特徴とする遊技機。」　
　
２．本願発明の同一性の判断
　
　（１）引用文献
　拒絶の理由に引用された先願及びその記載事項は、前記第２の２．に記載したとおりである。
　
　（２）対比・判断
　本願発明は、前記第２で検討した本願補正発明の、「各種被制御装置」を「各種装置」とし、「従属制御装置」について、表示制御装置と装飾制御装置である限定をはずし、「共通指令信号」について「前記表示制御装置に前記表示装置の表示内容を指令するための表示指令信号であり、かつ前記装飾制御装置に前記装飾発光源の発光動作を指令するための装飾指令信号」である点の限定をはずし、前記従属制御装置の制御について「同一の共通指令信号に対応する制御内容がそれぞれ異なるように予め設定されており」との限定を省き、「制御内容の特定」を「制御内容の判定」としたものである。
　そうすると、本願発明の構成をすべて含み、さらに他の構成要件を付加したものに相当する本願補正発明が、前記第２の３．に記載したとおり、先願発明と同一であるので、本願発明も同様の理由により、先願発明と同一である。
　
第４．むすび
　以上のとおり、本願発明は、先願発明と同一であり、特許法第２９条の２の規定により特許を受けることができないものである。
　したがって、本願は、他の請求項について検討するまでもなく、拒絶すべきものである。
　よって、結論のとおり審決する。